(57)【特許請求の範囲】
【請求項１】
時系列コンテンツを再生又は録画するコンテンツ機器と、前記時系列コンテンツに対するアンケートの対象者の脳波を計測する脳波計と、前記対象者が前記アンケートの回答をアンケート用紙に記入する為の電子ペンと、前記コンテンツ機器、前記脳波計及び前記電子ペンに接続されるコンピュータと、から構成され、前記対象者が前記時系列コンテンツを視聴し、前記アンケートに回答することを支援するアンケートシステムであって、
前記電子ペンは、前記アンケート用紙に記入されたストロークデータ及び記入時刻を少なくとも対応付けた記入データを送信する送信手段、を具備し、
前記コンピュータは、
前記コンテンツ機器を制御するコンテンツ機器制御手段と、
前記脳波計によって計測される前記対象者の脳波データを記憶する脳波データ記憶手段と、
前記脳波データに基づいて、前記対象者の前記時系列コンテンツに対する時刻ごとの潜在意識度を算出する潜在意識度算出手段と、
前記電子ペンから送信される前記アンケート用紙への記入データを記憶する記入データ記憶手段と、
前記記入データから認識した文字に基づいて、時刻に関連付けられた前記アンケートの回答結果を生成する回答結果生成手段と、
前記コンテンツ機器制御手段が前記コンテンツ機器の再生又は録画の開始を指示する時刻である第１開始時刻と、前記脳波データ記憶手段に記憶されるデータの解析対象範囲の開始時刻である第２開始時刻と、前記記入データ記憶手段に記憶されるデータの解析対象範囲の開始時刻である第３開始時刻と、を同期する同期手段と、
を具備し、
前記同期手段は、前記電子ペンから開始信号を受信すると、前記コンテンツ機器制御手段に前記コンテンツ機器の再生又は録画の開始を指示させるとともに、前記電子ペンから開始信号を受信した時刻に基づいて前記第２開始時刻及び前記第３開始時刻を決定する
ことを特徴とするアンケートシステム。
【請求項２】
前記潜在意識度と前記回答結果とを時間を同期させて出力する出力手段、
を更に具備することを特徴とする請求項１に記載のアンケートシステム。
【請求項３】
前記出力手段は、更に、前記コンテンツ機器によって再生又は録画された前記時系列コンテンツの一部又は全部を、前記潜在意識度と前記回答結果とに同期させて出力する
ことを特徴とする請求項２に記載のアンケートシステム。
【請求項４】
前記出力手段によって出力される前記回答結果の位置を修正する修正手段、
を更に具備することを特徴とする請求項２又は請求項３に記載のアンケートシステム。
【請求項５】
複数の前記対象者が、各々前記脳波計を装着し、各々前記電子ペンを利用する場合において、
前記同期手段は、特定の前記対象者が利用する前記電子ペンから開始信号を受信すると、特定の前記対象者が利用する前記電子ペンから開始信号を受信した時刻に基づいて全ての前記対象者に係る前記第２開始時刻及び前記第３開始時刻を決定する
ことを特徴とする請求項１に記載のアンケートシステム。
【発明の詳細な説明】
【技術分野】
【０００１】
本発明は、アンケート対象者（以下、単に「対象者」と表記する。）が映像等の時系列コンテンツを視聴し、アンケートに回答することを支援するアンケートシステムに関するものである。
【背景技術】
【０００２】
従来から、ＣＭ等の効果測定を行う為に、対象者に映像を視聴してもらい、アンケートに回答してもらうことが行われている。従来手法では、対象者がＣＭを全て見終わった後、所定のアンケート用紙に記入していた。その為、従来手法では、対象者がＣＭの内容を正確に思い出すことができず、正確な回答を得られないという第１の課題があった。また、従来手法では、対象者の潜在意識までは調査できないという第２の課題があった。尚、第２の課題は、どのようなアンケートに対しても共通する課題である。
【０００３】
特許文献１では、回答者（本発明の「対象者」に相当）の脳活動のモニタ結果に応じて、アンケート等の質問に対する回答を解析することにより、回答者の正直な回答が得られる回答獲得装置が開示されている。特許文献１では、回答者Ａは、脳活動に伴って発生する電場を計測する第１センサ２と脳血流の状態を検出する第２センサ３とを有するブレインハット１を頭部に被る。解析装置１１は、回答者Ａの脳活動を表す情報（第１センサ２で得られた脳内電場を示す信号と第２センサ３で得られた脳血流の状態を示す信号）に基づいて、アンケートの質問に対する回答者Ａの回答を解析する。
【先行技術文献】
【特許文献】
【０００４】
【特許文献１】特開２００６−３０５３３４号公報
【発明の概要】
【発明が解決しようとする課題】
【０００５】
しかしながら、特許文献１の回答獲得装置では、少なくとも前述の第１の課題を解決することができない。つまり、特許文献１の回答獲得装置を用いてＣＭ等の効果測定を行う場合も、回答者がＣＭを全て見終わった後、所定のアンケート用紙に記入することには変わりがない。そして、回答者がＣＭの内容を正確に思い出すことができなければ、正確な回答が得られないことにも変わりがない。特に、ＣＭの第１印象を知りたい場合、回答者にＣＭを再度視聴してもらうこともできない。
【０００６】
本発明は、前述した問題点に鑑みてなされたもので、その目的とすることは、対象者が映像等の時系列コンテンツを視聴し、アンケートに回答する場合において、正確な回答を得ることができるアンケートシステムを提供することである。また、本発明の副次的な目的は、対象者の潜在意識とアンケートによる顕在意識とを正確かつ容易に比較することができるアンケートシステムを提供することである。
【課題を解決するための手段】
【０００７】
前述した目的を達成するために本発明は、時系列コンテンツを再生又は録画するコンテンツ機器と、前記時系列コンテンツに対するアンケートの対象者の脳波を計測する脳波計と、前記対象者が前記アンケートの回答をアンケート用紙に記入する為の電子ペンと、前記コンテンツ機器、前記脳波計及び前記電子ペンに接続されるコンピュータと、から構成され、前記対象者が前記時系列コンテンツを視聴し、前記アンケートに回答することを支援するアンケートシステムであって、前記電子ペンは、前記アンケート用紙に記入されたストロークデータ及び記入時刻を少なくとも対応付けた記入データを送信する送信手段、を具備し、前記コンピュータは、前記コンテンツ機器を制御するコンテンツ機器制御手段と、前記脳波計によって計測される前記対象者の脳波データを記憶する脳波データ記憶手段と、前記脳波データに基づいて、前記対象者の前記時系列コンテンツに対する時刻ごとの潜在意識度を算出する潜在意識度算出手段と、前記電子ペンから送信される前記アンケート用紙への記入データを記憶する記入データ記憶手段と、前記記入データから認識した文字に基づいて、時刻に関連付けられた前記アンケートの回答結果を生成する回答結果生成手段と、前記コンテンツ機器制御手段が前記コンテンツ機器の再生又は録画の開始を指示する時刻である第１開始時刻と、前記脳波データ記憶手段に記憶されるデータの解析対象範囲の開始時刻である第２開始時刻と、前記記入データ記憶手段に記憶されるデータの解析対象範囲の開始時刻である第３開始時刻と、を同期する同期手段と、を具備し、前記同期手段は、前記電子ペンから開始信号を受信すると、前記コンテンツ機器制御手段に前記コンテンツ機器の再生又は録画の開始を指示させるとともに、前記電子ペンから開始信号を受信した時刻に基づいて前記第２開始時刻及び前記第３開始時刻を決定することを特徴とするアンケートシステムである。第１の発明によって、対象者が映像等の時系列コンテンツを視聴し、アンケートに回答する場合において、正確な回答を得ることができる。また、対象者の潜在意識及びアンケートによる顕在意識の両方を得ることができる。
【０００８】
また、これによって、対象者の潜在意識とアンケートによる顕在意識とを正確に比較することができる。また、対象者の準備が整ったタイミングで、コンテンツの再生又録画を開始することができる。
【０００９】
また、前記潜在意識度と前記回答結果とを時間を同期させて出力する出力手段、を更に具備することが望ましい。これによって、対象者の潜在意識とアンケートによる顕在意識とを容易に比較することができる。
【００１０】
また、前記出力手段は、更に、前記コンテンツ機器によって再生又は録画された前記時系列コンテンツの一部又は全部を、前記潜在意識度と前記回答結果とに同期させて出力することが望ましい。これによって、時系列コンテンツの内容と合わせて、対象者の潜在意識とアンケートによる顕在意識とを比較することができる。
【００１１】
また、前記出力手段によって出力される前記回答結果の位置を修正する修正手段、を更に具備することが望ましい。これによって、対象者自身が回答結果の位置を修正することができ、ひいては正確な回答を得ることができる。
【００１２】
また、複数の前記対象者が、各々前記脳波計を装着し、各々前記電子ペンを利用する場合において、前記同期手段は、特定の前記対象者が利用する前記電子ペンから開始信号を受信すると、特定の前記対象者が利用する前記電子ペンから開始信号を受信した時刻に基づいて全ての前記対象者に係る前記第２開始時刻及び前記第３開始時刻を決定することが望ましい。これによって、複数の対象者の潜在意識とアンケートによる顕在意識とを正確に比較することができる。
【発明の効果】
【００１４】
本発明により、対象者が映像等の時系列コンテンツを視聴し、アンケートに回答する場合において、正確な回答を得ることができるアンケートシステムを提供することができる。また、対象者の潜在意識とアンケートによる顕在意識とを正確かつ容易に比較することができるアンケートシステムを提供することができる。
【図面の簡単な説明】
【００１５】
【図１】第１の実施形態におけるアンケートシステムの概要図
【図２】各装置のハードウエア構成図
【図３】アンケート用紙の第１の例
【図４】アンケート用紙の第２の例
【図５】アンケート用紙の第３の例
【図６】同期処理の第１の例を示すシーケンス図
【図７】同期が実現可能なことを説明する図
【図８】アンケート用紙の第４の例
【図９】同期処理の第２の例を示すシーケンス図
【図１０】アンケートシステム全体の処理を示すフローチャート
【図１１】フィルタ算出処理の一例を示すフローチャート
【図１２】Ｓ５１を説明する図
【図１３】Ｓ５２を説明する図
【図１４】Ｓ５３を説明する図
【図１５】Ｓ５４を説明する図
【図１６】解析データの第１の例
【図１７】出力結果の第１の例
【図１８】出力結果の修正処理を説明する図
【図１９】解析データの第２の例
【図２０】出力結果の第２の例
【図２１】第２の実施形態におけるアンケートシステムの概要図
【図２２】同期処理の第３の例を示すシーケンス図
【図２３】アンケート用紙の第５の例
【図２４】解析結果データの第３の例
【図２５】出力結果の第３の例
【発明を実施するための形態】
【００１６】
以下図面に基づいて、本発明の実施形態を詳細に説明する。最初に、用語の定義について説明する。
【００１７】
時系列コンテンツとは、時間的に変化するコンテンツである。時系列コンテンツは、例えば、動画像、間欠的に表示させる複数枚の静止画像、音声や音楽等を含む。また、時系列コンテンツは、対象者が視聴する前に電子化されているコンテンツ（以下、「電子コンテンツ」という。）の他、実時間に実演される授業、講演、デモンストレーション等、対象者が視聴する前に電子化されていないコンテンツ（以下、「非電子コンテンツ」という。）も含む。後述する第１の実施形態ではデジタルコンテンツ、第２の実施形態では非電子コンテンツを対象としている。
【００１８】
コンテンツ機器とは、時系列コンテンツを再生又は録画（録音を含む。）する為の機器である。コンテンツ機器は、例えば、ＤＶＤプレイヤ、プロジェクタ、ＣＤプレイヤ等の再生機器（＝プレイヤ）、ビデオカメラ、デジタルカメラ、ＩＣレコーダ等の録画（録音）機器（＝レコーダ）を含む。尚、ＤＶＤプレイヤにはディスプレイが接続され、ＣＤプレイヤにはスピーカが接続される。後述する第１の実施形態ではプレイヤ、第２の実施形態ではレコーダを利用する。第２の実施形態では、レコーダによって非電子コンテンツが電子化され、出力結果に反映される。
【００１９】
潜在意識度とは、脳波計によって取得される脳波データに基づく対象者の潜在意識の度合を示すデータである。潜在意識度は、例えば、対象者の潜在的な興味関心の度合を示す興味度や、対象者の潜在的な理解の度合を示す理解度等を含む。また、潜在意識度は、これらの例に限定されず、アンケートの内容に応じて捉え方は様々である。後述する第１の実施形態では興味度、第２の実施形態では理解度として捉える。
【００２０】
＜第１の実施形態＞
図１に示すように、第１の実施形態におけるアンケートシステム１は、コンピュータ２、脳波計３、プレイヤ４、電子ペン５、アンケート用紙６、ディスプレイ７等を含む。アンケートシステム１は、対象者８が時系列コンテンツを視聴し、アンケートに回答することを支援する。
【００２１】
コンピュータ２は、脳波計３及びプレイヤ４と有線によって接続される。また、コンピュータ２は、電子ペン５と無線によって接続される。脳波計３は、ヘッドバンド３１を備える。ヘッドバンド３１は、対象者８の頭部に装着される。
【００２２】
コンピュータ２は、プレイヤ４を制御するとともに、脳波計３及び電子ペン５から受信するデータを記憶する。また、コンピュータ２は、アンケートの回答結果などを解析し、解析結果を出力する。脳波計３は、時系列コンテンツに対するアンケートの対象者８の脳波を計測する。プレイヤ４は、時系列コンテンツを再生する。電子ペン５は、対象者８がアンケートの回答をアンケート用紙６に記入する為に用いられる。アンケート用紙６は、電子ペン５専用の用紙である。
【００２３】
図２に示すように、コンピュータ２は、制御部２１、記憶部２２、表示部２３、入力部２４、Ｉ／Ｏ（Input／Output interface）２５等を備える。
【００２４】
制御部２１は、ＣＰＵ（Central Processing Unit）、ＲＯＭ（Read Only Memory）、ＲＡＭ（Random Access Memory）等から構成される。ＣＰＵは、記憶部２２、ＲＯＭ、記録媒体等に格納されるプログラムをＲＡＭ上のワークメモリ領域に呼び出して実行し、各装置を駆動制御し、コンピュータ２が行う後述する処理を実現する。ＲＯＭは、不揮発性メモリであり、コンピュータ２のブートプログラムやＢＩＯＳ等のプログラム、データ等を恒久的に保持している。ＲＡＭは、揮発性メモリであり、記憶部２２、ＲＯＭ、記録媒体等からロードしたプログラム、データ等を一時的に保持するとともに、制御部２１が各種処理を行う為に使用するワークエリアを備える。
【００２５】
記憶部２２は、例えば、ＨＤＤ（Hard Disk Drive）であり、制御部２１が実行するプログラム、プログラム実行に必要なデータ、ＯＳ（Operating System）等が格納される。プログラムに関しては、ＯＳに相当する制御プログラムや、後述する処理をコンピュータ２に実行させるためのアプリケーションプログラムが格納されている。これらの各プログラムコードは、制御部２１により必要に応じて読み出されてＲＡＭに移され、ＣＰＵに読み出されて各種の手段として実行される。
【００２６】
表示部２３は、液晶パネル等のディスプレイ装置、ディスプレイ装置と連携してコンピュータ２のビデオ機能を実現するための論理回路等（ビデオアダプタ等）を有する。入力部２４は、データの入力を行い、例えば、キーボード、マウス等のポインティングデバイス、テンキー等の入力装置を有する。入力部２４を介して、コンピュータ２に対して、操作指示、動作指示、データ入力等を行うことができる。尚、表示部２３及び入力部２４は、タッチパネルディスプレイのように、一体となっていても良い。
【００２７】
Ｉ／Ｏ２５は、コンピュータ２に周辺機器（例えば、脳波計３、プレイヤ４、電子ペン５、プリンタ（不図示）、ネットワーク機器（不図示））を接続させるためのポートや送受信機である。コンピュータ２は、Ｉ／Ｏ２５を介して周辺機器とのデータの送受信を行う。Ｉ／Ｏ２５は、ＵＳＢ、ＩＥＥＥ１３９４、ＲＳ−２３２Ｃ等のポートや、無線ＬＡＮ機器、Ｂｌｕｅｔｏｏｔｈ（登録商標）送受信機等によって構成されている。周辺機器との接続形態は、有線、無線を問わない。
【００２８】
また、図２に示すように、脳波計３は、ヘッドバンド３１、電極３２、変換器３３、増幅器３４等を備える。脳波計３は、対象者８の頭部、詳細には国際１０−２０法におけるＦｐ１に当たる箇所（左前部前頭葉）に、ヘッドバンド３１によって固定された電極３２が当接する構造となっている。Ｆｐ１は、一般に感情や情動に関する反応を計測できることが知られている。変換器３３は、電極３２から出力されるアナログ信号をデジタル信号に変換する。増幅器３４は、変換器３３から出力されるデジタル信号を増幅し、コンピュータ２のＩ／Ｏ２５に出力する。Ａ／Ｄ変換におけるサンプリング周波数は例えば１０２４Ｈｚである。
【００２９】
脳波計３の詳細については、例えば、特開２０１０−１３１３２８号公報や特開２０１１−４５５４１号公報に記載されている。脳波計３の一例としては、例えば、株式会社脳力開発研究所の「alphatec-IV」、「Brain Builder Unit」などの簡易脳波計が挙げられる。簡易脳波計による脳波は、例えば、電気的に不活性な耳朶に一方の電極を装着し、電気的に活性な頭皮に他方の電極を装着し、二極間の電位差の変動を導出する単極誘導法によって計測される。
【００３０】
また、図２に示すように、電子ペン５は、筐体の内部に、プロセッサ５１、圧力センサ５２、カメラ５３、メモリ５４、トランシーバ５５等を備える。プロセッサ５１は、ＣＰＵ等により構成され、各装置を制御する。圧力センサ５２は、対象者８が電子ペン５によってアンケート用紙６の上に文字などを書く際に、ペン先部からインクカートリッジを通じて与えられる圧力（＝筆圧）を検出し、その値をプロセッサ５１に送信する。
【００３１】
ここで、アンケート用紙６は、電子ペン５専用の用紙である。アンケート用紙６には、ほぼ全面に、ドットパターン（コード化パターン）が印刷されている。また、アンケート用紙６には、後述するように記入欄やアンケート内容等が印刷されている。ドットパターンは、赤外線を吸収するカーボンを含んだインキにより印刷される。ドットパターン以外は、赤外線を吸収する性質を持たないインキにより印刷される。
【００３２】
カメラ５３は、ペン先部付近に取り付けられるＬＥＤ（Light Emitting
Diode）とＣＭＯＳ（Complementary Metal Oxide Semiconductor）イメージセンサ等から構成される。電子ペン５の筐体には、ＬＥＤ及びＣＭＯＳイメージセンサと対向する部分に開口部が形成されている。ＬＥＤは、アンケート用紙６のペン先部近傍に向けて赤外線を照射する。ＣＭＯＳイメージセンサは、ＬＥＤによって赤外線が照射された領域内のドットパターンを撮影し、ドットパターンの画像データをプロセッサ５１に送信する。ＣＭＯＳイメージセンサによる撮影は、毎秒５０〜１００回程度行われる。尚、アンケート用紙６におけるドットパターンは、同一の用紙内では重複しない為、文字等が記入された位置がアンケート用紙６のどの位置にあたるかを、プロセッサ５１による座標演算により特定することができる。
【００３３】
メモリ５４は、ＲＯＭやＲＡＭ等によって構成される。メモリ５４には、電子ペン５を識別する為の電子ペン識別情報が記憶されている。トランシーバ５５は、Ｂｌｕｅｔｏｏｔｈ（登録商標）等の無線通信を行う通信ユニットである。
【００３４】
プロセッサ５１は、リアルタイムクロックから発信される現在時刻（＝タイムスタンプ）と、筆圧データと、画像データのドットパターンと、アンケート用紙６における座標データとを関連付けて、メモリ５４に記憶する。また、プロセッサ５１は、電子ペン識別情報と、タイムスタンプと、筆圧データと、ドットパターンと、座標データとを関連付けて記入データとし、トランシーバ５５を介して、記入データをコンピュータ２のＩ／Ｏ２５に送信する。プロセッサ５１は、リアルタイムに記入データを送信しても良いし、蓄積された記入データを纏めて送信しても良い。
【００３５】
電子ペン５及びアンケート用紙６の詳細については、例えば、特開２００９−１９９３８１号公報に記載されている。電子ペン５の一例としては、例えば、スウェーデンのアノト（Anoto）社が開発したアノトペン（Anoto pen）が挙げられる。
【００３６】
図３〜図５には、アンケート用紙の例を示している。図３〜図５に示すアンケート用紙６には、ＣＭの映像に対するアンケート内容と所定の記入欄が印刷されている。尚、ドットパターンについては不図示である。
【００３７】
図３〜図５に示すアンケート用紙６ａ〜６ｃには、ＣＭ番号記入欄６１、対象者番号記入欄６２、開始合図記入欄６３等の記入欄が印刷されている。ＣＭ番号記入欄６１は、ＣＭを一意に識別する番号を記入する為の欄である。対象者番号記入欄６２は、対象者８を一意に識別する番号を記入する為の欄である。開始合図記入欄６３は、開始の合図を指示する為の欄である。
【００３８】
アンケート用紙６ａに印刷されているアンケート内容は、「ＣＭの中で興味関心があるシーンがあったら、その瞬間に○を書いて下さい」である。前述した通り、電子ペン５は、筆圧データと関連付けてタイムスタンプも記憶することから、それぞれの「○」がいつ記入されたのかを判別することができる。従って、アンケート用紙６ａには、シーンと関連付けた記入欄を設けることなく、「○」を自由な位置に記入可能とすることができる。
【００３９】
アンケート用紙６ｂに印刷されているアンケート内容は、「ＣＭの中で興味関心があるシーンがあったら、その瞬間に興味度（５点満点で１〜５点）を書いて下さい」である。アンケート用紙６ｂについても、それぞれの数字がいつ記入されたのかを判別することができることから、シーンと関連付けた記入欄を設けることなく、数字を自由な位置に記入可能とすることができる。
【００４０】
アンケート用紙６ｃに印刷されているアンケート内容は、「ＣＭの中で興味関心があるシーンがあったら、その瞬間に上の図の数字が書いてあるところに○をつけていって下さい」である。アンケート用紙６ｃについても、それぞれの「○」がいつ記入されたのかを判別することができることから、シーンと関連付けた記入欄を設ける必要はない。但し、アンケート用紙６ｃでは、「○」の記入位置がある程度制約される。
【００４１】
アンケート用紙６ａ、６ｂ及び６ｃのように、ＣＭ再生中にアンケートの回答を記入させる場合、ＣＭを全て見終わった後にアンケートの回答を記入させる場合と比較して正確な回答を得やすくなる。つまり、ＣＭ再生中にアンケートの回答を記入させる場合、対象者８はＣＭの内容を忘れることはなく、正確な回答を記入することができる。
【００４２】
また、アンケート用紙６ａ及び６ｂのように、アンケートの回答を自由な位置に記入可能であれば、対象者８は、ＣＭ再生中、ディスプレイ７から目を離さなくても、アンケートの回答を記入することができる。従って、対象者８はＣＭの一部を見逃すことはなく、より正確な回答を記入することができる。
【００４３】
図６には、同期処理の第１の例が示されている。同期処理とは、コンピュータ２がプレイヤ４の再生の開始を指示する時刻（以下、「第１開始時刻」という。）、脳波計３によって計測され、コンピュータ２の記憶部２２に記憶される脳波データの解析対象範囲の開始時刻（以下、「第２開始時刻」という。）、及び電子ペン５によって記録され、コンピュータ２の記憶部２２に記憶される記入データの解析対象範囲の開始時刻（以下、「第３開始時刻」という。）を同期する処理である。ＣＭのように再生時間が予め決まっている場合、開始時刻を同期させれば、終了時刻も同期することになる。
【００４４】
図６に示すように、対象者８がアンケート用紙６（６ａ、６ｂ及び６ｃのいずれも同様である。）の開始合図記入欄６３に電子ペン５をペンダウンさせると、電子ペン５のプロセッサ５１は、コンピュータ２に開始信号を送信する（Ｓ１）。開始信号の送信後、電子ペン５のプロセッサ５１は、記入データの記録を開始する（Ｓ４）。
【００４５】
コンピュータ２の制御部２１は、電子ペン５から開始信号を受信すると、プレイヤ４に再生開始を指示するとともに（Ｓ２）、脳波計３に計測開始を指示する（Ｓ３）。再生開始及び計測開始の指示後、コンピュータ２の制御部２１は、現在時刻を同期開始時刻として記憶部２２に記憶する（Ｓ５）。
【００４６】
プレイヤ４は、コンピュータ２から再生開始の指示を受信すると、ＣＭの再生を開始する（Ｓ６）。また、脳波計３は、コンピュータ２から計測開始の指示を受信すると、脳波の計測を開始、すなわちコンピュータ２への脳波データの送信を開始する（Ｓ７）。
【００４７】
尚、Ｓ３、Ｓ４及びＳ７の処理は、Ｓ１の処理より前に行っても同期を実現することができる。つまり、電子ペン５は、対象者８がアンケート用紙６の開始合図記入欄６３にペンダウンさせる前から、記入データの記録を開始していても良い。同様に、コンピュータ２は、電子ペン５から開始信号を受信する前に脳波計３に計測開始を指示し、脳波計３からの脳波データを受信していても良い。
【００４８】
ここで、図７を参照しながら、Ｓ３、Ｓ４及びＳ７の処理をＳ１の処理より前に行っても同期を実現できる理由について説明する。図７では、横軸に時間を取り、コンテンツ、記入データ及び脳波データを時系列順に示している。図７では、コンテンツの各シーンを矩形ブロック、記入データを★マーク、脳波データを太い曲線によって模式的に示している。
【００４９】
まず、Ｓ５の処理の実行タイミングによって、図７に示す（１）同期開始時刻が決まる。また、Ｓ２及びＳ６の処理の実行タイミングによって、（２）コンテンツ推定開始時刻は、（１）同期開始時刻に等しいことが推定できる。次に、（３）コンテンツ再生時間は予め決まっていることから、（４）コンテンツ推定終了時刻も決まる。最後に、（５）同期終了時刻は、（４）コンテンツ推定終了時刻と等しいものとすれば、（６）記入データの解析対象範囲及び（７）脳波データの解析対象範囲が、（１）同期開始時刻から（５）同期終了時刻までの範囲と決まる。このように、Ｓ３、Ｓ４及びＳ７の処理の実行タイミングに無関係に、（６）記入データの解析対象範囲及び（７）脳波データの解析対象範囲が決まるので、Ｓ３、Ｓ４及びＳ７の処理をＳ１の処理より前に行っても同期処理を実現することができる。
【００５０】
そこで、コンピュータ２の制御部２１は、電子ペン５から開始信号を受信すると、少なくとも、プレイヤ４に再生開始を指示するとともに、現在時刻を同期開始時刻として記憶部２２に記憶すれば良い。そして、コンピュータ２の制御部２１は、記憶部２２に記憶された同期開始時刻を、第２開始時刻及び第３開始時刻とする。第１開始時刻と同期開始時刻も同期していることから、第１開始時刻、第２開始時刻及び第３開始時刻の全てが同期されることになる。
【００５１】
図８には、アンケート用紙の別の例を示している。図８に示すアンケート用紙６ｄには、キャッチコピーが１つずつ表現された複数の静止画像に対するアンケート内容と所定の記入欄が印刷されている。尚、ドットパターンについては不図示である。
【００５２】
アンケート用紙６ｄには、対象者番号記入欄６２及び開始合図記入欄６３が印刷されている。アンケート用紙６ｄに印刷されているアンケート内容は、各キャッチコピー（＝Ｑ１、Ｑ２、・・・）に対して、「１．全く興味がない、２．興味がない、３．あまり興味がない、４．やや興味がある、５．興味がある、５．とても興味がある」の６つの選択肢である。
【００５３】
複数の静止画像を対象者８に視聴させる場合、予め定められた時間間隔によってスライドショーのように再生することもできる。しかし、スライドショーのように再生してしまうと、対象者８が回答を終える前に、次の静止画像が再生されてしまうことも考えられる。そこで、図９に示す同期処理のように、対象者８が各静止画像の再生開始と再生終了を指示可能としても良い。
【００５４】
図９には、同期処理の第２の例が示されている。図９に示す同期処理では、前述の第１開始時刻、第２開始時刻及び第３開始時刻を同期させる。また、図９に示す同期処理では、更に、コンピュータ２がプレイヤ４の再生の終了を指示する時刻（以下、「第１終了時刻」という。）、脳波計３によって計測される脳波データの解析対象範囲の終了時刻（以下、「第２終了時刻」という。）、及び電子ペン５によって記録される記入データの解析対象範囲の終了時刻（以下、「第３終了時刻」という。）も同期させる。対象者８が各静止画像の再生開始と再生終了を指示して複数の静止画像を視聴する場合、各静止画像の再生時間は不定である為、開始時刻だけでなく、終了時刻も同期させる必要がある。
【００５５】
図９に示すＳ１〜Ｓ７は、図６に示すＳ１〜Ｓ７と同様である。また、Ｓ３、Ｓ４及びＳ７の処理は、Ｓ１の処理より前に１回だけ行っても同期を実現することができる。
【００５６】
対象者８がアンケート用紙６ｄにアンケートの回答を記入し、電子ペン５をペンアップさせると、電子ペン５のプロセッサ５１は、コンピュータ２に終了信号を送信する（Ｓ１１）。終了信号の送信後、電子ペン５のプロセッサ５１は、記入データの記録を終了する（Ｓ１４）。
【００５７】
コンピュータ２の制御部２１は、電子ペン５から終了信号を受信すると、プレイヤ４に再生終了を指示するとともに（Ｓ１２）、脳波計３に計測終了を指示する（Ｓ１３）。再生終了及び計測終了の指示後、コンピュータ２の制御部２１は、現在時刻を同期終了時刻として記憶部２２に記憶する（Ｓ１５）。
【００５８】
プレイヤ４は、コンピュータ２から再生終了の指示を受信すると、静止画像の再生を終了する（Ｓ１６）。また、脳波計３は、コンピュータ２から計測終了の指示を受信すると、脳波の計測を終了、すなわちコンピュータ２への脳波データの送信を終了する（Ｓ１７）。
【００５９】
この後、対象者８がアンケート用紙６の開始合図記入欄６３に電子ペン５をペンダウンさせてからペンアップさせると、次の静止画像に対して同様の処理が行われる。つまり、対象者８は、静止画像の枚数分だけ、開始合図記入欄６３に電子ペン５をペンダウンさせてからペンアップさせることと、アンケート用紙６ｄにアンケートの回答を記入することを繰り返す。
【００６０】
尚、Ｓ１２、Ｓ１３、Ｓ１４、Ｓ１６及びＳ１７の処理は、最後の静止画像にだけ行っても同期を実現することができる。つまり、静止画像ごとの同期開始時刻及び同期終了時刻を記憶しておけば、図７と同様の考え方により、静止画像ごとの記入データ及び脳波データの解析対象範囲を決めることができる。
【００６１】
図１０には、アンケートシステム全体の処理を示すフローチャートが示されている。尚、図１０では同期処理が不図示であるが、対象者８の動作に応じて、前述の同期処理が実行されることが前提である。また、図１０に示す計測処理を行う前に、図１１に例示する処理を予め行い、興味度の算出に用いるフィルタを求めておくことが前提である。
【００６２】
脳波計３は、コンピュータ２からの計測開始や計測終了の指示に基づいて、脳波を計測する（Ｓ２１）。そして、脳波計３は、所定のサンプリング周波数（例えば１０２４Ｈｚ）に、変換器３３がＡＤ変換を行い（Ｓ２２）、増幅器３４が増幅し（Ｓ２３）、増幅結果をコンピュータ２に脳波データとして送信する（Ｓ２４）。
【００６３】
電子ペン５は、コンピュータ２からの記録開始や記録終了の指示に基づいて、プロセッサ５１が記入データを生成し（Ｓ３１）、トランシーバ５５を介してコンピュータ２に記入データを送信する（Ｓ３２）。尚、同期処理に無関係な記入データについては、一括して送信するようにしても良い。
【００６４】
コンピュータ２の制御部２１は、電子ペン５から記入データを受信し、記入データを記憶部２２に記憶する（Ｓ４１）。そして、制御部２１は、アンケート用紙６内のアンケート記入欄（＝ＣＭ番号記入欄６１、対象者番号記入欄６２及び開始合図記入欄６３を除く領域）のストロークをアンケートの回答結果、対象者番号記入欄６２のストロークを対象者情報、ＣＭ番号記入欄のストロークをＣＭ情報として記憶部２２に記憶する（Ｓ４２）。電子ペン５の制御ソフトは、ストロークデータからの文字認識と記入時刻、記入箇所の対応付け処理を行う機能を備えている。例えば、図８に示すアンケート用紙６ｄに対しては、電子ペン５は、マルを形成するストロークデータを認識して、アンケート用紙６の数字１〜６のどれの上にドローされたかを判定し、アンケートの回答結果として、数字１〜６を特定する。
【００６５】
また、制御部２１は、脳波計３から脳波データを受信し、脳波データを記憶部２２に記憶する（Ｓ４３）。そして、制御部２１は、脳波データについて高速フーリエ変換による周波数解析を行い（Ｓ４４）、因子分析によって対象者８のＣＭに対する興味度の算出を行い（Ｓ４５）、興味度に対象者情報及びＣＭ情報を付加して記憶部２２に記憶する（Ｓ４６）。Ｓ４４の高速フーリエ変換は、窓長１秒、窓の時間シフト幅１秒で行う。Ｓ４５の興味度算出処理については、図１１〜図１５を参照しながら後述する。
【００６６】
そして、制御部２１は、記憶部２２から、対象者情報及びＣＭ情報が同じ興味度とアンケート回答結果を抽出し、時間を同期して表示部２３に出力結果として表示する（Ｓ４７）。出力結果は、表示部２３に表示するだけでなく、プリンタに出力したり、他のコンピュータ２に送信したりしても良い。出力処理については、図１６〜図２０を参照しながら後述する。
【００６７】
図１１は、フィルタ算出処理の一例を示すフローチャートである。尚、図１０と図１１では対象者８が異なり、図１１に例示する処理は、図１０に示す計測処理の前処理である。図１１に示すように、コンピュータ２の制御部２１は、興味がないと仮定したデータの各周波数の平均を算出する（Ｓ５１）。興味がないと仮定したデータとは、例えば、不特定多数の対象者８が映像や音楽などを視聴せずに計測された脳波データ、或いは興味がないと明らかにわかっている映像や音楽などを視聴したときに計測された脳波データである。不特定多数の対象者８は、任意に選択すれば良い。
【００６８】
図１２の表７０ａには、複数の対象者Ａ、Ｂ、・・・について図１０のＳ２１〜Ｓ４３と同様の方法で処理された脳波データが例示されている。また、図１２の表７０ｂには、図１０のＳ４４と同様の方法で、表７０ａに示す脳波データの周波数解析を行った結果の例として、１秒ごとに１秒〜６０秒、１Ｈｚごとに１Ｈｚ〜２４Ｈｚのパワースペクトルが示されている。制御部２１は、これらのパワースペクトルのデータから、周波数ごとの平均を算出する。表７０ｂでは、１Ｈｚの平均が「０．０」、２Ｈｚの平均が「３．２」、・・・、２４Ｈｚの平均が「１．２」である。
【００６９】
図１１の説明に戻る。制御部２１は、興味がないと仮定したデータの平均と、フィルタ算出に使う各対象者８のデータとの差分を算出する（Ｓ５２）。フィルタ算出に使う各対象者８のデータも、図１０のＳ２１〜Ｓ４４と同様の方法で周波数解析を行ったパワースペクトルのデータである。
【００７０】
図１３の表７１には、Ｓ５１において算出された興味がないと仮定したパワースペクトルのデータの周波数ごとの平均が示されている。表７２には、ある対象者８（＝対象者Ａ）について、１秒ごとに１秒〜６０秒、１Ｈｚごとに１Ｈｚ〜２４Ｈｚのパワースペクトルのデータが示されている。制御部２１は、時間及び周波数ごとに、表７１のデータと表７２のデータとの差分を算出する。表７３では、時間及び周波数ごとに、差分結果が示されている。表７３では、１Ｈｚの１秒目が「０．０」、１Ｈｚの２秒目が「０．０」、・・・、１Ｈｚの６０秒目が「０．０」、２Ｈｚの１秒目が「０．２」、２Ｈｚの２秒目が「０．８」、・・・、２Ｈｚの６０秒目が「０．８」、・・・、２４Ｈｚの１秒目が「１．８」、２４Ｈｚの２秒目が「０．２」、・・・、２４Ｈｚの６０秒目が「０．８」である。
【００７１】
図１１の説明に戻る。制御部２１は、Ｓ５２において算出された差分データの相関行列、固有値を算出し、初期因子数を決定する（Ｓ５３）。初期因子数とは、Ｓ５４において実行される因子分析に用いられる。
【００７２】
図１４の表７４には、Ｓ５２において算出された差分データが示されている。制御部２１は、表７４の列ベクトル同士の相関行列を算出する。表７４では、１Ｈｚの列ベクトルが（０．０，０．０，・・・，０．０）ｔ、２Ｈｚの列ベクトルが（０．２，０．８，・・・，０．８）ｔ、・・・、６０Ｈｚの列ベクトルが（１．８，０．２，・・・，０．８）ｔである。
【００７３】
図１４の表７５には、表７４の列ベクトル同士の相関行列が示されている。表７５では、行列成分（１，１）が「１」、行列成分（１，２）が「０．８１」、・・・、行列成分（１，２４）が「０．１２」、行列成分（２，１）が「０．８１」、行列成分（２，２）が「１」、・・・、行列成分（２，２４）が「０．２０」、・・・、行列成分（２４，１）が「０．１２」、行列成分（２，２）が「０．２０」、・・・、行列成分（２４，２４）が「１」である。次に、制御部２１は、表７５の相関行列に対する固有値を算出する。
【００７４】
図１４の表７６には、表７５の相関行列に対する固有値が示されている。表７６では、１Ｈｚの固有値が「１３．５０」、２Ｈｚの固有値が「２．１６０」、・・・、２４Ｈｚの固有値が「０．００８」である。次に、制御部２１は、表７６の固有値をグラフにプロットする（スクリ―プロット）。
【００７５】
図１４のグラフ７７には、表７６の固有値の折れ線グラフが示されている。例えば、ユーザは、グラフ７７から、傾きがなだらかになっている箇所を判断し、初期因子数を決定する。グラフ７７では、周波数が３Ｈｚと４Ｈｚの間（点線７８）の傾きがなだらかになっていることから、初期因子数を「３」と決定する。また、例えば、制御部２１が、周波数の小さい方から、折れ線グラフの傾きと予め定めた閾値とを比較していき、閾値以下になったら、傾きがなだらかになっていると判定し、初期因子数を決定しても良い。
【００７６】
図１１の説明に戻る。制御部２１は、初期因子数から１ずつ因子数を増やしていき、累積寄与率が所定の割合になるまで、因子分析を実行する（Ｓ５４）。所定の割合については、任意に決定して良いが、例えば、０．８である。
【００７７】
図１５の表７９には、因子分析の結果が示されている。表７９は、オープンソースの統計解析ソフトである「Ｒ」による算出結果である。因子負荷量は、観測変数に対して共通因子がどれくらいの強さで影響を与えているかを示している。共通性は、観測変数ごとの因子負荷量の２乗和である。共通性の値が高ければ、その観測変数が共通因子によって良く説明されていることになる。
【００７８】
表７９は、例示目的の為、第２因子までの因子負荷量や累積寄与率を示しているが、因子数が「３」であれば、第３因子の因子負荷量や累積寄与率も算出されることになる。そして、第３因子の累積寄与率が所定の割合を超えていなければ、制御部２１は、因子数を「４」にして因子分析を再度実行する。尚、Ｓ５３及びＳ５４の処理の詳細については、特開２０１０−１３１３２８号公報や特開２０１１−４５５４１号公報にも記載されている。
【００７９】
図１１の説明に戻る。制御部２１は、周波数ごとに、寄与率を考慮した因子負荷量を重みとしたフィルタを算出する（Ｓ５５）。Ｎ人の対象者から求めたフィルタの算出式は、次式の通りである。
【００８０】
【数１】
0005811674.tif 000002
【００８１】
ここで、ｚ：周波数、ｉ：対象者数、ｊ：因子数、Ｈ（ｚ）：周波数ｚのフィルタ（重み）、Ｆｉｊ（ｚ）：周波数ｚ、対象者ｉ、第ｊ因子の因子負荷量、Ｐｉｊ：対象者ｉ、第ｊ因子の寄与率、である。
【００８２】
制御部２１は、このように算出されたフィルタを用いて、図１０のＳ４５において、興味度を算出する。興味度の算出式は、次式の通りである。
【００８３】
【数２】
0005811674.tif 000003
【００８４】
ここで、ｚ：周波数、ｔ：時刻、Ｒ（ｔ）：ｔ秒における興味度、Ｂ（ｚ、ｔ）：ｔ秒における脳波の周波数ｚの振幅、Ｈ（ｚ）：周波数ｚのフィルタ、である。
【００８５】
このように、制御部２１は、脳波計３によって取得される脳波データに基づき、対象者８の潜在意識の度合（興味度）を算出する。これによって、アンケートシステム１では、アンケートの回答結果に現れる対象者８の顕在意識だけでなく、対象者８の潜在意識も得ることができる。
【００８６】
図１６は、アンケート用紙６ｂ（図４参照）を用いてアンケートを行ったときの解析データの一例である。コンピュータ２の制御部２１は、電子ペン５から受信する記入データを解析し、解析データ８１〜８３を生成する。解析データ８１〜８３は、それぞれ、対象者番号、ＣＭ番号、時間（＝第３開始時刻からの経過時間）、回答結果を含む。尚、時間は、第３開始時刻からの経過時間に限らず、対象者８が電子ペン５を用いて記入した時刻であっても良い。
【００８７】
また、制御部２１は、図６に示す同期処理によって、解析データ８１〜８３と、時系列コンテンツの各シーンとを関連付けて、記憶部２２に記憶する。図１６では、解析データ８１がシーンＡ、解析データ８２がシーンＢ、解析データ８３がシーンＦにそれぞれ関連付けられている。より詳細には、制御部２１は、フレーム単位（例えば、１秒間に約３０フレーム）で解析データの関連付けを行った後、予め設定された各シーンのフレーム範囲に基づいて、解析データと各シーンの関連付けを行う。また、各シーンのフレーム範囲が予め設定されていなければ、制御部２１は、解析データをフレームに対してのみ関連付けても良い。
【００８８】
図１７は、図１６の解析データに対する出力結果を示している。図１７では、横軸が時間ｔ、縦軸が興味度（脳波）と回答結果である。コンピュータ２の制御部２１は、興味度グラフ９１と、回答結果９２と、シーン代表画像９３とを、時系列を同期させて、例えば表示部２３に表示する。興味度グラフ９１は、脳波計３から受信する脳波データに対して、図１１に示す興味度算出処理によって算出された１秒ごとの興味度をプロットし、連結させたものである。回答結果９２は、図１６の解析データに含まれる回答結果をプロットしたものである。シーン代表画像９３は、時系列コンテンツの各シーンを代表する静止画像である。
【００８９】
制御部２１は、図６に示す同期処理によって定められた第２開始時刻及び第３開始時刻に従って、興味度グラフ９１及び回答結果９２の解析対象範囲の位置合わせを行い、図１７に示すように、表示部２３に表示する。これによって、ユーザは、対象者８の潜在意識（興味度）と、アンケートによる顕在意識（回答結果）とを容易かつ正確に比較することができる。
【００９０】
図１８には、出力結果を修正する為の画面インターフェースが示されている。回答結果９２の表示位置は、対象者８が電子ペン５を用いてアンケート用紙６に記入した時刻に基づいて算出されている。例えば、対象者８の記入タイミングが遅れた場合、興味関心があると感じたシーンとは異なるシーンと位置合わせされてしまうことが考えられる。そこで、図１８に示すように、スライドバー９４を表示し、対象者８自身が位置合わせの修正をできるようにしても良い。ラジオボタン９５は、回答結果９２を単独で修正するか、全ての回答結果９２を連動させて修正するかを選択する為の選択ボタンである。
【００９１】
例えば、１つの回答結果９２の位置合わせを修正したい場合、対象者８は、入力部２４を介して、修正したい回答結果９２を選択し、ラジオボタン９５を「単独」にし、スライドバー９４を左右に移動させる。これによって、１つの回答結果９２の位置合わせを修正することができ、ひいては正確な回答を得ることができる。
【００９２】
また、例えば、全ての回答結果９２の位置合わせを連動させて修正したい場合、対象者８は、入力部２４を介して、基準とする回答結果９２を選択し、ラジオボタン９５を「連動」にし、スライドバー９４を左右に移動させる。これによって、全ての回答結果９２の位置合わせを連動させて修正することができ、ひいては正確な回答を得ることができる。例えば、対象者８の記入タイミングの遅れが毎回同程度の時間の場合には、連動させて修正することによって、効率良く修正作業を行うことができる。
【００９３】
図１９は、アンケート用紙６ｄ（図８参照）を用いてアンケートを行ったときの解析データの一例である。解析データ８４、８５は、それぞれ、対象者番号、設問番号、時間（＝記入時刻）、回答結果を含む。尚、時間は、記入時刻に限らず、第３開始時刻からの経過時間であっても良い。また、アンケート用紙６ｄを用いたアンケートでは、設問番号によって時系列コンテンツ（キャッチコピーの各静止画像）との対応付けが可能である。前述した通り、アンケート用紙６ｄに対しては、電子ペン５は、マルを形成するストロークデータを認識して、アンケート用紙６の数字１〜６のどれの上にドローされたかを判定し、アンケートの回答結果として、数字１〜６を特定する。
【００９４】
図２０は、図１９の解析データに対する出力結果を示している。図１９では、横軸が時間ｔ、縦軸が興味度（脳波）と回答結果である。コンピュータ２の制御部２１は、興味度グラフ９１と、回答結果９２と、キャッチコピー画像９６とを、時系列を同期させて、例えば表示部２３に表示する。
【００９５】
制御部２１は、図９に示す同期処理によって定められた第２開始時刻、第３開始時刻、第２終了時刻及び第３終了時刻に従って、興味度グラフ９１及び回答結果９２の解析対象範囲の位置合わせを行い、図２０に示すように、表示部２３に表示する。これによって、ユーザは、対象者８の潜在意識（興味度）と、アンケートによる顕在意識（回答結果）とを容易かつ正確に比較することができる。
【００９６】
＜第２の実施形態＞
図２１に示すように、第２の実施形態におけるアンケートシステム１ａは、コンピュータ２、脳波計３ｘ、３ｙ、電子ペン５ｘ、５ｙ、アンケート用紙６ｘ、６ｙ、レコーダ９等を含む。アンケートシステム１ａは、複数の対象者８ｘ、８ｙが、教師１０による授業（＝時系列コンテンツ）を受けて、アンケートに回答することを支援する。
【００９７】
第１の実施形態におけるアンケートシステム１との違いは、時系列コンテンツが非電子コンテンツになったこと、プレイヤ４がレコーダ９になったこと、対象者８が複数になったこと、である。レコーダ９は、教師１０による授業（＝時系列コンテンツ）を録画する。
【００９８】
図２２には、第２の実施の形態における同期処理の例が示されている。図２２における同期処理では、コンピュータ２がレコーダ９の録画の開始を指示する時刻（前述の「第１開始時刻」と同様。）、脳波計３によって計測され、コンピュータ２の記憶部２２に記憶される脳波データの解析対象範囲の開始時刻（前述の「第２開始時刻」と同様。）、及び電子ペン５によって記録され、コンピュータ２の記憶部２２に記憶される記入データの解析対象範囲の開始時刻（前述の「第３開始時刻」と同様。）を同期する処理である。尚、第１開始時刻、第２開始時刻及び第３開始時刻は、全ての対象者８に対して共通である。
【００９９】
図２２に示すように、特定の対象者８（例えば、対象者８ｘ）がアンケート用紙６（例えば、アンケート用紙６ｘ）の開始合図記入欄６３に電子ペン５（例えば、電子ペン５ｘ）をペンダウンさせると、電子ペン５のプロセッサ５１は、コンピュータ２に開始信号を送信する（Ｓ６１）。開始信号の送信後、電子ペン５のプロセッサ５１は、記入データの記録を開始する（Ｓ６４）。
【０１００】
コンピュータ２の制御部２１は、電子ペン５から開始信号を受信すると、レコーダ９に録画開始を指示するとともに（Ｓ６２）、脳波計３に計測開始を指示する（Ｓ６３）。録画開始及び計測開始の指示後、コンピュータ２の制御部２１は、現在時刻を同期開始時刻として記憶部２２に記憶する（Ｓ６５）。
【０１０１】
レコーダ９は、コンピュータ２から録画開始の指示を受信すると、教師１０による授業の録画を開始する（Ｓ６６）。また、脳波計３は、コンピュータ２から計測開始の指示を受信すると、脳波の計測を開始、すなわちコンピュータ２への脳波データの送信を開始する（Ｓ６７）。
【０１０２】
尚、第１の実施の形態と同様、Ｓ６３、Ｓ６４及びＳ６７の処理は、Ｓ６１の処理より前に行っても同期処理を実現することができる。つまり、電子ペン５は、対象者８がアンケート用紙６の開始合図記入欄６３にペンダウンさせる前から、記入データの記録を開始していても良い。同様に、コンピュータ２は、電子ペン５から開始信号を受信する前に脳波計３に計測開始を指示し、脳波計３からの脳波データを受信していても良い。
【０１０３】
そこで、コンピュータ２の制御部２１は、単一の電子ペン５から開始信号を受信すると、少なくとも、レコーダ９に録画開始を指示するとともに、現在時刻を同期開始時刻として記憶部２２に記憶すれば良い。そして、コンピュータ２の制御部２１は、記憶部２２に記憶された同期開始時刻を、全ての対象者８に係る第２開始時刻及び第３開始時刻とする。第１開始時刻と同期開始時刻も同期していることから、第１開始時刻、第２開始時刻及び第３開始時刻の全てが同期されることになる。
【０１０４】
図２３には、第２の実施の形態におけるアンケート用紙６ｅが示されている。アンケート用紙６ｅに印刷されているアンケート内容は、「授業の中で理解できた内容や分からない内容があったら、その瞬間に理解度（５点満点で１〜５点）を書いて下さい」である。電子ペン５によってアンケート用紙６ｅに記入された数字は、いつ記入されたのかを判別することができる。また、記入データは、レコーダ９によって録画された授業内容と、時系列を同期させることができる。従って、対象者８は、理解度を記入したときの授業の内容を記入することなく、数字のみを自由な位置に記入すれば良い。尚、前述した通り、電子ペン５の制御ソフトは、ストロークデータからの文字認識と記入時刻、記入箇所の対応付け処理を行う機能を備えている。アンケート用紙６ｅに対しては、電子ペン５は、アンケート用紙６ｅ上のストロークデータが数字の何を表しているかの認識処理を行い、アンケートの回答結果として、数字１〜５を特定する。
【０１０５】
図２４は、アンケート用紙６ｅ（図２３参照）を用いてアンケートを行ったときの解析データの一例である。コンピュータ２の制御部２１は、複数の電子ペン５から受信する記入データを解析し、解析データ８６〜８８等を生成する。解析データ８６〜８８等は、それぞれ、対象者番号、授業番号、時間（＝第３開始時刻からの経過時間）、回答結果を含む。尚、時間は、第３開始時刻からの経過時間に限らず、各対象者８が電子ペン５を用いて記入した時刻であっても良い。
【０１０６】
また、制御部２１は、図２２に示す同期処理によって、解析データ８６〜８８等と、時系列コンテンツの各チャプタとを関連付けて、記憶部２２に記憶する。図２４では、解析データ８６がチャプタＡ、解析データ８７及び８８がチャプタＢにそれぞれ関連付けられている。より詳細には、制御部２１は、フレーム単位（例えば、１秒間に３０フレーム）で解析データの関連付けを行った後、録画した後に設定した各チャプタのフレーム範囲に基づいて、解析データと各チャプタの関連付けを行う。また、各チャプタのフレーム範囲が予め設定されていなければ、制御部２１は、解析データをフレームに対してのみ関連付けても良い。
【０１０７】
図２５は、図２４の解析データに対する出力結果を示している。図２５では、横軸が時間ｔ、縦軸が理解度（脳波）と回答結果である。コンピュータ２の制御部２１は、対象者８ｘ、８ｙの興味度グラフ９１ｘ、９２ｘと、対象者８ｘ、８ｙの回答結果９２ｘ、９２ｙと、チャプタ代表画像９７とを、時系列を同期させて、例えば表示部２３に表示する。チャプタ代表画像９７は、時系列コンテンツの各チャプタを代表する静止画像である。理解度（脳波）の算出処理は、図１１に示す興味度算出処理と同様である。
【０１０８】
制御部２１は、図２２に示す同期処理によって定められた全ての対象者８に係る第２開始時刻及び第３開始時刻に従って、興味度グラフ９１ｘ、９２ｘ及び回答結果９２ｘ、９２ｙの解析対象範囲の位置合わせを行い、図２５に示すように、表示部２３に表示する。これによって、ユーザは、複数の対象者８の潜在意識（理解度）と、アンケートによる顕在意識（回答結果）とを容易かつ正確に比較することができる。
【０１０９】
以上、本発明の実施の形態によって、以下の効果を奏する。
１．脳波データを計測することによって、従来のアンケートでは得られない潜在意識に関するデータが得られる。その為、対象者８の潜在意識とアンケートによる顕在意識（主観評価）を、時系列を追って、容易に比較して分析することができる。
【０１１０】
２．脳波データを計測し、アンケートの回答結果と比較することによって、アンケートの前提となる作業（例えば、ＣＭや授業の視聴など）を行わずに、適当に回答する対象者８の対策にもなる。
【０１１１】
３．従来の電子ペン５を利用しないアンケートでは、コンテンツを全て見終わった後にアンケートに回答を記入する。対象者８は、コンテンツの内容を思い出すことが困難な場合があり、負荷も高くなる。ひいては、正確な回答を得られない可能性がある。本発明の実施の形態のように、電子ペン５を利用するアンケートでは、アンケートの前提となる作業（例えば、ＣＭや授業の視聴など）中に、対象者８に負荷をかけることなく、回答してもらうことができる為、対象者８がコンテンツの内容を忘れたり、見逃したり（聞き逃したり）することがない。ひいては、正確な回答を得ることができる。
【０１１２】
４．時系列コンテンツと、脳波計３による脳波データと、電子ペン５による記入データとを、時系列的に正確に同期させることによって、潜在意識と顕在意識の比較を容易かつ正確に行うことができる。視聴時間が長いコンテンツの場合には、特に有効である。
【０１１３】
５．アンケートの直後に、脳波データと記入データの同期結果を確認することができるので、対象者８にも、その場で確認してもらうことができる。また、対象者８が記入データの同期結果を修正できるので、より正確な回答を得ることができる。
【０１１４】
以上、添付図面を参照しながら、本発明に係るアンケートシステムの好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【０１１５】
１、１ａ………アンケートシステム
２………コンピュータ
３、３ｘ、３ｙ………脳波計
４………プレイヤ
５、５ｘ、５ｙ………電子ペン
６、６ａ、６ｂ、６ｃ、６ｄ、６ｅ、６ｘ、６ｙ………アンケート用紙
７………ディスプレイ
８、８ｘ、８ｙ………対象者
９………レコーダ
１０………教師
【図１】
0005811674.tif 000004
【図２】
0005811674.tif 000005
【図３】
0005811674.tif 000006
【図４】
0005811674.tif 000007
【図５】
0005811674.tif 000008
【図６】
0005811674.tif 000009
【図７】
0005811674.tif 000010
【図８】
0005811674.tif 000011
【図９】
0005811674.tif 000012
【図１０】
0005811674.tif 000013
【図１１】
0005811674.tif 000014
【図１２】
0005811674.tif 000015
【図１３】
0005811674.tif 000016
【図１４】
0005811674.tif 000017
【図１５】
0005811674.tif 000018
【図１６】
0005811674.tif 000019
【図１７】
0005811674.tif 000020
【図１８】
0005811674.tif 000021
【図１９】
0005811674.tif 000022
【図２０】
0005811674.tif 000023
【図２１】
0005811674.tif 000024
【図２２】
0005811674.tif 000025
【図２３】
0005811674.tif 000026
【図２４】
0005811674.tif 000027
【図２５】
0005811674.tif 000028